Podtech/llm-jp-corpus-v4-ja_patent huggingface dataset:
(57)【要約】
【課題】  粉体塗装でオーバースプレーした粉の回収効率のよい回収装置を提供する。
【解決手段】  回収装置のフィルター室１０の吸引口２０の巾を、対向する側面１０３の巾より広くすることで、オーバースプレーした粉が後列の、特に両サイド及び下部からのフイルター３０への吸引導入もよくなり回収効率をよくした回収装置。
【選択図】  「図１」
0003101035.tif 000002
【実用新案登録請求の範囲】
【請求項１】
粉体塗装で、吸引ブロアー５０に連通しているフィルター室１０に、オーバースプレーの粉が、後列の、特に両サイドのフィルター３０にも、より吸引導入することができるように、４側面１０１、１０２、１０３及び１０４の内１側面１０１を解放した吸引口２０の巾を、対向する側面１０３の巾より広くしたことを特徴とする回収装置。
【考案の詳細な説明】
【考案の詳細な説明】
【技術分野】
【０００１】  本考案は、作業環境のよい粉体塗装ができる回収装置に関する。
【背景技術】
【０００２】  従来の回収装置は、フイルター室１０の吸引口２０の巾と対向する側面１０３の巾とが同一であり、このような回収装置の塗装ブース７０で、塗装するとオーバースプレーの粉は、前列のフィルター３０には吸引導入されるが後列の、特に両サイドのフィルター３０には回り込みがわるく吸引導入されにくいため、塗装ブース７０内の吸引もわるく粉洩れが発生し、塗装作業環境がわるく衛生上もよくなく、又塗装仕上がりがわるく塗料のロスもあり問題が発生していた。
【考案の解決しようとする課題】
【０００３】  本考案は、粉体塗装のオーバースプレーの粉の回収効率のよい回収装置を提供するものである。
【課題を解決するための手段】
【０００４】  本考案は、上記課題を達成するため、図示するように吸引口２０の巾が対向する側面１０３の巾より広くすることで、オーバースプレーの粉の回り込みがよくなり、後列の特に両サイドのフィルター３０の吸引導入もよくなり、吸引効率のよいフィルター室１０をもった回収装置である。
【考案を実施するための最良の形態】
【０００５】  本考案の実施の形態が図２、図３に示されている。
【実施例】
【０００６】  本考案の実施例は図２、図３に示されているように、塗装ブース７０と接続する回収装置のフィルター室１０の吸引口２０の巾が、対向する側面１０３の巾より広い構造になっているため、被塗装物９０を塗装ガン８０で噴射したオーバースプレーの粉は、後列の両サイドのフィルター３０にも吸引導入され、又フィルター３０の外面に付着した粉が、間欠圧縮空気噴射装置４０で圧縮空気を各々のフィルター３０内に噴射し、飛散した粉は塗料タンク１１０に回収され、濾過した空気は吸引ブロアー５０を通じて高性能フィルター６０を経て清浄空気として排出される。
【考案の効果】
【０００７】  本考案によれば、フィルター室１０の吸引口２０の巾を広くすることで、各々の後列のフィルター３０にも、オーバースプレーの粉が回り込み、吸引がよくなるため塗装ブース７０内の吸引も一定に保ち、外への粉洩れもなくなり、作業者の環境衛生上を向上させるなど高能率の粉体塗装が安価に行える利点がある。
【図面の簡単な説明】
【図１】本考案の回収装置のフィルター室を示した斜視図である。
【図２】回収装置と粉体塗装ブースを取り付けた正面図である。
【図３】回収装置と粉体塗装ブースを取り付けた側面図である
【符号の説明】
１０  フィルター室
１０１、１０２、１０３、１０４  回収装置側面
２０  吸引口
３０  フィルター
４０  圧縮空気噴射装置
５０  吸引ブロアー
６０  高性能フィルター
７０  塗装ブース
８０  塗装ガン
９０  被塗装物
１００  コンベヤ
１１０  塗料タンク
【図１】
0003101035.tif 000003
【図２】
0003101035.tif 000004
【図３】
0003101035.tif 000005
(57)【要約】      （修正有）【課題】幕板を用いることなく、固定金具が完全に外部に見えないようにするとともに、脚のジョイント金具の連結強度を向上せしめること以外脚の断面積を可及的に小さくしてテーブル裏面のスペースを大きくすることの可能な脚固定式テーブルの提供。【解決手段】天板９の裏面に設けた溝構内に埋込固定してなるＬ型金具１の上面に当接した金具座２のシャフト螺子込穴３に、脚１０内に設けた該脚１０の長さ方向の貫通孔に連通させた着脱自在なシャフト６の螺子込部６ａを螺挿させて連結構成してなる。【選択図】図１
0003101009.tif 000002
【実用新案登録請求の範囲】
【請求項１】
天板９の裏面に設けた溝構内に埋込固定してなるＬ型金具１の上面に当接した金具座２のシャフト螺子込穴３に、脚１０内に設けた該脚１０の長さ方向の貫通孔に連通させた着脱自在なシャフト６の螺子込部６ａを螺挿させて連結構成してなることを特徴とする脚固定式テーブル。
【考案の詳細な説明】
【考案の詳細な説明】
【産業上の利用分野】
【０００１】本考案は、食卓等家具テーブル、座卓等テーブルに関し、さらに詳記すれば、幕板を要することなく、天板材とこれを支える脚材とを金具にて固定した脚連結強度に優れしかも前記固定金具が完全に外部に見えない意匠性に富んだ脚固定式テーブルに関する。
【背景技術】
【０００２】従来、脚固定式テーブルとしては、天板の裏面の設けた天板用金具（天板金具という。）を脚の上面に設けたテーブル脚用金具（脚金具という。）と連結せしめて脚の外面からテーパーピンにて横方向に固定したテーブル（先行技術１）、脚金具として脚の上端に螺旋固定されたボルト状金具を用いたものや（先行技術２）、天板側金具の外側から螺子孔に斜向に固定螺子を螺挿して固定したもの（先行技術３）が知られている。
【先行技術】
【０００３】
【特許文献１】  公開実用新案公報  株式会社野口栄太郎商店  テーブル用脚の取付具  実開平１−８３９０９号（平成１年６月３日公開）（先行技術１）
【特許文献２】  公開実用新案公報  株式会社野口栄太郎商店  テーブル用脚の取付構造  実開平２−２５７０７号（平成２年２月２０日公開）（先行技術２）
【特許文献３】  公開特許公報  高橋金物株式会社  ジョイント金具  特開平７−１５５２２５号（平成７年６月２０日公開）（先行技術３）
【従来技術の欠点】
【０００４】先行技術１及び先行技術３は、小型でしかも天板面からの荷重が小さいものであれば、ピン機構程度での固定でよいが、荷重が増加したり、荷重が斜め方向にかかったり、あるいは脚の開閉頻度が多くなるとジョイント金具の折損や曲がりを生じ脚の脱脚等を招来することになる．。また、固定金具が完全に外に見えないようにしたものは無く、先行技術２のように斜め方向にボルトで固定する場合、ジョイント強度は向上するものの外部に金具が見える欠点がある。
【考案の目的】
【０００６】本考案の目的は、幕板を用いることなく、固定金具が完全に外部に見えないようにするとともに、脚のジョイント金具の連結強度を向上せしめること以外に脚の断面積を可及的に小さくしてテーブル裏のスペースを大きくすることの可能な脚固定式テーブルの提供を目的とする。
【考案の構成】
【０００７】本考案は、「天板９の裏面に設けた溝構内に埋込固定してなるＬ型金具１の上面に当接した金具座２のシャフト螺子込穴３に、脚１０内に設けた該脚１０の長さ方向の貫通孔に連通させた着脱自在なシャフト６の螺子込部６ａを螺挿させて連結構成してなることを特徴とする脚固定式テーブル。」である。以下、本考案の内容を詳細に説明する。
【０００８】本考案による脚固定式テーブルは、天板材９、脚材１０及びＬ型金具１、金具座２、シャフト６等天板材と脚材とを連結するジョイント金具から構成される。
【０００９】図１は、本考案による脚固定式テーブルに用いるＬ型金具１の平面図である。このＬ型金具１は天板材９の裏面に設けた埋込穴に埋込み、螺子１１にて天板材に固定する。Ｌ型金具１の材質については、経時による錆化の少ないアルミニウム製やダイカキャスト製が用いられる。
【００１０】図２は金具座２の斜視図である。金具座２は、シャフト６と連結させるためのものであって、その形状は、四隅がせりあがった鍔形を有している。金具座２の中央部には、シャフト６の連結部６ａと連結するシャフト連結穴３が設けられている。また、金具座２の四隅にはＬ型金具１と連結固定するための螺子穴４が設けられている。上記したように金具座２の四隅をせり上げることにより、金具座２とシャフト６との位置決めを確かなものとし金具の連結強度を向上させることが可能である。
【００１１】図３図は、本考案による脚固定式テーブルに用いるＬ型金具１と金具座２との連結状態を示した斜視図である。
Ｌ型金具１と金具座２との連結は，Ｌ型金具１の上面に金具座２を取り付けて螺子４にて固定する。
【００１２】図４は脚固定式テーブルに用いる脚１０内に挿通されたシャフト６の縦断面図である。脚１０内にその長さ方向に貫通孔を設けて該貫通孔にシャフト６を挿通させる。シャフト６の上部には、前記した金具座２の連結穴３と連結するための連結部６ａを有する。一方、シャフト６の下端には脚１０の高さを調整するためのアジャスター７を有している。
【００１３】図５は、本考案による脚固定式テーブルの縦断面図である。天板材９及び脚材１０内のＬ型金具１、金具座２、シャフト６及びアジャスター７の連結状態を示している。天板と、脚材を連結する金具はその収納性を考慮して合理的に配置される。
【００１４】以上説明したように本考案による脚固定式テーブルは、図面にて説明したようにＬ型金具、金具座及びシャフトの組合せにより天板及び脚の外側に固定金具を露呈することなく強固に固定が可能である。また、使用前及び使用後の製品の収納については、これらの部材を天板を枠として適宜部材の大小を考慮して収納を行えば、極めてコンパクトに収納することが可能である。
これらのことは、顧客への配慮と例えば梱包コストの如き製品コストの低減に寄与することが期待される。
【考案の効果】
本考案による脚固定式テーブル、幕板を用いることなく天板金具及び脚用金具を外面に曝すことがないので製品の意匠面での価値を損なうことがないし、脚固定強度が優れているので脚の断面積を小さくすることが可能であり、天板裏面及び脚周面のスペースを有効に使用できることが期待できる。
【図面の簡単な説明】
【図１】本考案の脚固定式テーブルに用いるＬ型金具１の平面図である。
【図２】本考案の脚固定式テーブルに用いる金具座２の斜視図である。
【図３】本考案の脚固定式テーブルに用いるＬ型金具１への金具座２の取付状態図である。
【図４】本考案の脚固定式テーブルに用いる脚１０内に設けたシャフト６の断面図である。
【図５】本考案の脚固定式テーブルに用いる金具類の連結状態を示す断面図である。
【符合の説明】
１：Ｌ型金具  ２：金具座  ３：シャフト螺子込穴  ４：金具座固定穴  ５：脚固定具
６：シャフト  ６ａ：螺子込部  ７：アジャスター  ８：螺子  ９：天板  １０：脚
１１：Ｌ型金具固定穴
【図１】
0003101009.tif 000003
【図２】
0003101009.tif 000004
【図３】
0003101009.tif 000005
【図４】
0003101009.tif 000006
【図５】
0003101009.tif 000007
(57)【要約】
【課題】  本考案は、無添加食品や天然水、合成洗剤を使用しない歯みがきなど、健康に配慮した自然食品や生活用品を、災害時等、緊急事態のための非常袋として、専用の布袋に詰め合わせ、備蓄、携行、使用を容易にしたセットである。
【解決手段】  本考案は、独自に設計製作した布袋に、約５食分の食料、１リットルの飲料水、歯磨き等を詰め合わせ、災害等、緊急事態における非常袋のセットとしたものである。食品はすべて原料が明確に示された無添加の自然食品によってのみ構成され、健康に配慮した内容となっている。また、歯磨きも合成洗剤を用いた一般の市販品と異なり、人体に無害な石けんを主原料としたものが選ばれている。従来の、食品添加物が多用されたインスタント食品を中心とした非常食が抱え持っていたさまざまな問題点が、本考案では全面的に解決されている。
【選択図】  図２
0003101008.tif 000002
【実用新案登録請求の範囲】
【請求項１】
無添加食品や天然水、合成洗剤を使用しない歯みがきなど、健康に配慮した自然食品や生活用品を、災害時等、緊急事態のための非常袋として、専用の布袋に詰め合わせ、備蓄、携行、使用を容易にしたセット
【考案の詳細な説明】
【技術分野】
【０００１】  本考案は、健康に配慮した自然食品や生活用品を、災害時等の緊急事態のため、専用の袋に詰め合わせたセットに関するものである。
【背景技術】
【０００２】  これまで非常食というと、乾パンやインスタントラーメン、近年ではカップラーメンなど、簡便性を優先した食品がもっぱら用いられていた。
【考案の開示】
【考案が解決しようとする課題】
【０００３】  乾パンやインスタントラーメン、カップラーメンなどは、栄養的にも偏りがあり、また原材料の由来が明瞭にたどり難いものが大半を占めている。さらに、それらに用いられている合成保存料や化学調味料等、食品添加物が人体に重大な影響を及ぼすことは、これまでも繰り返し指摘されている事実である。地震等、心身を消耗する災害時においてこそ、原材料が明示され、人体に有害な食品添加物等が用いられず、健康を増進する食品を摂取することが望ましい。【０００４】  本考案は、従来、簡便性のために食品として何より大切な安全性を犠牲にしてきたと言わざるを得ない非常食の概念を一新し、緊急事態にあってこそ一層、健康に配慮した良質の食料を提供しようとするものである。関東大震災の惨禍から８０年を閲し、最近でも東北、北海道で、また東海地震が懸念される現在、極めて有用性が高い。
【課題を解決するための手段】
【０００５】  本考案は、我が国において定評のある自然食品メーカーの製品を中心に、各地の良心的な製造者の製品をバランスよく組み合わせ、被災時、最低５食分の食事と１リットルの水をまかない、さらに良質のミネラルを含んだ菓子と、石けんを主剤とした歯磨きから成る非常袋である。それぞれの製品が無農薬有機栽培等、現在、考えうるかぎり最も安全性の高い材料を用いた食品であることはもちろん、その組み合わせにも災害時を想定した配慮がなされている。
【考案の効果】
【０００６】  被災直後、仮に外傷を負わない場合でも、精神的ショックから食欲や咀嚼機能、消化機能が減退する可能性のあることにも配慮し、最初の食事としては玄米粥が用意されている。これとミネラルウォーターとで、まず何より必要な水分とカロリーの補給が可能となる。それ以降には、レトルト式の玄米のパックや、各種惣菜など、献立に変化を付け、さらに食欲を増進させる食事ができるよう、配慮がなされている。【０００７】  また一般に市販されている歯磨きは合成洗剤を用いたものであるが、本考案に用いた歯磨きは、人体に害のない石けんを素材としたものである。本考案により、被災直後の緊急の事態にあって、内容豊かな食事とともに爽やかな歯磨きの使用が可能となる。
【考案を実施するための最良の形態】
【０００８】  加熱調理が必要な食品はすべてレトルトパックのものとなっている。これは調理の際、食品そのものに水を加えて煮炊きしたりする必要がないようにするためで、食品は外から湯煎しさえすれば食べられる。この結果、カップ麺などと違って、飲料に適さない、衛生状態の必ずしも万全ではない水しか手に入らない場合でも、簡単に調理が可能となる。【０００９】  内袋のビニール袋について見ても、歯みがきのチューブは食品類とは別に梱包され、匂いが食品にうつる心配もない。布製の外袋は、中身を使用した後、物入れとしても使用できる。また洗濯に耐え、長く使用可能である。
【実施例】
【００１０】  以下、添付図面にしたがって一実施例を説明する。１は布製の外袋で、２はビニール製の内袋である。すべての食品、歯磨きセットは２に梱包され、１の袋に入れて保存、携行される。ちなみに、２のビニール袋には、下方の食品のための収納スペースと上方の歯磨きセットのためのスペースとのあいだに仕切りが設けられ、歯磨きの香りが食品にうつらないよう工夫されている。【００１１】  ３は石けんを原料とした歯磨き。４は歯ブラシ。上述したとおり、２のビニール袋には仕切りが設けられており、歯磨きの香りが食品にうつる心配はない。【００１２】  ５は、天然水のペットボトルや何種類かの自然食品のパックを集合的に示す。自然食品は、いずれも無農薬有機栽培、ないしは減農薬栽培の野菜等を原材料とし、化学合成された添加物をいっさい用いない良質の品ばかりである。
【図面の簡単な説明】
【００１３】
【図１】本考案の自然食品の非常袋セットの外観を示すスケッチである。
【図２】本考案の自然食品の非常袋セットの中身を示すスケッチである。
【符号の説明】
【００１４】  １  外袋
２  内袋
３  歯磨き
４  歯ブラシ
５  ミネラルウォーターのペットボトルや自然食品類
【図１】
0003101008.tif 000003
【図２】
0003101008.tif 000004
(57)【要約】      （修正有）【課題】より使いやすい介護車椅子を提供する。【解決手段】背の部分及び両側の肘掛の部分が自由に下方に下がる様になり又座席も上下出来る様になった車椅子。【効果】ベットから車椅子への移動がたやすく行われる。装置は簡単、安価である。【選択図】図２
0003101010.tif 000002
【実用新案登録請求の範囲】
【請求項１】
水平面位以下に下げられる背もたれと肘掛とを持ち、上下自由に昇降出来る座席とを持った構造の介護用車椅子。
【考案の詳細な説明】
【考案の詳細な説明】
【産業上の利用分野】
【０００１】      医療，衛生に関するものである。
【背景技術】
【０００２】      元来車椅子は椅子を移動し易い様に輪をつけたものであるが、その車の輪が大小いろいろとあり、輪の数が３輪又は４輪とあり、振動が少ない様にいろいろと工夫され，又座席の部分が柔らかいもの、硬いものとあり、乗り心地よい様に工夫されて来た。
【本考案が解決しょうとする課題】
【００３】      ベットに寝ていた患者を車椅子に移動させようとした場合、体をベットから車椅子に移動させねばならないが、体が不自由で独力ではできない場合，人の介助が必要であるが、その患者を介助して車に乗せる場合、その体重を支えて車椅子まで移乗させる事は大変な労力を要する物である。特に肥満体の人では閉口するのである。これが簡単に出来る様になれば、非常に好都合になるのである。
【課題を解決する為の手段】
【０００４】      ベットから車椅子への移動、及び車椅子からベットへの移動が簡単に出来れば大変好都合な、便利な事になるのである。そこで先ず椅子の座席の高さをベットと同じ高さにする。（手動又は電動昇降機で）次に両側の肘掛を左右両方共下に下げる。次に椅子の背の部分を回転して横倒しにする。すると座席表面は平坦な面となるのである。するとこの面とベットの面とは同じ高さになって、続いた小さなベットのようになる。そこで患者を滑らせて移動するのである。同じ高さの平面だからたやすく移動できる訳であるる。移動を終えたならば、背の部分を回転しておこし、又左右の肘掛を起こし元の姿に戻す。そして座席の高さを適当に移動させれば、元の車椅子の状態になる。そこで車椅子への移動は完了するのである。
【０００５】    この動作の逆を行へば車椅子からベットへの移動は簡単に行われるのである。
【実施例】
【０００６】      座席の面積５０×５０ｃｍを持った車椅子の左右両側の肘掛は下方に垂れ下がる様に作られ、背もたれの部分は回転して横倒し出来る様に設定する。そして座席の高さは手動又は電動で自由に上下出来るよう設定する。実施するには先ず車椅子の左右の肘掛を下に下げ背もたれの部分を回転し、横倒しにし、座席はベットと同じ高さに調節する。するとベットの横に小さなベットが出来たような格好になる。そこで患者をベットから滑らせて移動し、この小さなベットの上におくのである。両側肘を起こし背部の背もたれを回転し、元の様にし、又座席を下げて普通通りの車椅子にするのである。
【考案の効果】
【０００７】      本考案の車椅子を使へば労作はきわめて楽である。労力は少なくて、効果的である。製作も簡単安価である。
【図面の簡単な説明】
【図１】  斜位図
【図２】  斜位図
【図３】  側面図
【図４】  水平面図  Ａ．．．．．．．．．．正常状態  Ｂ．．．．．．．．．．使用状態  ａ．．．．．．．．．．背もたれ  ｂ．．．．．．．．．．肘掛  ｃ．．．．．．．．．．座席  ｄ．．．．．．．．．．昇降機  ｅ．．．．．．．．．．車輪
【図１】
0003101010.tif 000003
【図２】
0003101010.tif 000004
【図３】
0003101010.tif 000005
【図４】
0003101010.tif 000006
(57)【要約】【課題】この考案は、タンデム自転車で広く一般道路を走ることの出来るようにする。【解決手段】  車輪幅の狭い重輪を使用し、３輪車、又は４輪車をつくるようにした。３輪車または４輪車の２輪部分を車輪の中心間隔を２０ｃｍ未満の重輪として操舵性を確保した。【選択図】図１
0003101625.tif 000002
【実用新案登録請求の範囲】
【請求項１】
前輪が２重輪、後輪が１輪のタンデム自転車
【請求項２】
前輪が１輪、後輪が２重輪のタンデム自転車
【請求項３】
前輪が２重輪、後輪も２重輪のタンデム自転車
【考案の詳細な説明】
【考案の詳細な説明】
【技術分野】
【００１】この考案は、タンデム自転車において前輪、または後輪に車輪の中心間の間隔が２０ｃｍ未満の２重輪を用いた三輪タンデム自転車、あるいは前後輪双方が２重輪の４輪タンデム自転車である。
【背景技術】
【００２】従来のタンデム自転車は、前１輪後１輪で乗車装置を二人分タテに並べたものである。国の定める道路交通法では、この自転車は一般道路を走る事を認めている。しかし、各自治体の定める道路交通法施行細則では、長野県を除くほとんどの自治体で一般道路をの走行禁止している。従って、２輪のタンデム自転車は一般道路を走行は、著しく制限を受けている。従来の３輪車は２輪部の車輪の中心間隔は２０ｃｍより広く操舵性が劣り、傾斜した道を横断する場合に車体が傾斜し転倒しやすいという欠点があった。
【考案が解決しようとする課題】
【００３】本案は、操舵性、安定性を高めた３輪または４輪のタンデム自転車を考案し、自治体の定める道路交通法施行細則が、一般道路の走行を認めるタンデム自転車を開発しようとするものである。
【図面の簡単な説明】
【００４】
【図１】請求項１の前２重輪、後１輪の３輪タンデム自転車
【図２】請求項２の前１輪、後２重輪の３輪タンデム自転車
【図３】請求項３の前２重輪、後重２輪の４輪タンデム自転車
【図１】
0003101625.tif 000003
【図２】
0003101625.tif 000004
【図３】
0003101625.tif 000005
(57)【要約】【課題】携帯用灰皿に廉価で色彩のきれいな広告媒体を設ける手段を提供する。【解決手段】不燃の基材布を重ね合わせて袋部を形成するとともに、他の一辺を入口部５として成し、この入口部５の背面の基材布を延在して入口部５を閉塞しながら、前記袋部まで折り返す蓋部７を形成した携帯用灰皿１の袋体背面に、透明なシートを貼着して収納部９を形成し、この収納部９に紙の広告媒体を挿入することで、廉価で色彩の美しい広告を持たせることが出来る。【選択図】図３
0003101630.tif 000002
【実用新案登録請求の範囲】
【請求項１】
不燃の基材布を重ね合わせてその三辺を縫製して袋部を形成するとともに、他の一辺を入口部として成し、この入口部の背面の基材布を延在して入口部を閉塞しながら、前記袋部まで折り返す蓋部を形成した携帯用灰皿において、袋部の背面に透明シートを貼着したことを特徴とする携帯用灰皿。
【請求項２】
袋部の背面の透明シートを広告媒体に会わせ多角形に形成するようにしたことを特徴とする請求項１記載の携帯用灰皿。
【請求項３】
袋部の背面の透明シートを広告媒体に会わせ多角形に形成するようにしたことを特徴とする請求項１記載の携帯用灰皿。
【考案の詳細な説明】
【技術分野】
【０００１】
本考案は、ポケットなどに入れることの出来る柔軟な素材にて作成された携帯用灰皿に関し、特に灰皿の一つの面に透明な保持部を設けた灰皿に関する。
【背景技術】
【０００２】
従来から外出時にポケットやポーチ等に入れて持ち運びの出来る携帯用灰皿は知られている。例えば、実公昭４８−２９６６８号に開示されている携帯用灰皿は、不燃性合成樹脂製シート又は不燃性織布を用いて袋状に形成し、その開口部の両縁にバネ鋼製の可変可能な板を縫包した構造となっている。
【０００３】
また、実用新案登録２５０５７１６号には、前記公報に開示したような灰や吸い殻を入れる袋体を形成した上に、袋体の背面下方部にライターの収容部を設けた携帯用灰皿が知られている。この携帯用灰皿の表面に、名入れ広告用としてシルク印刷を施す場合もある。
【特許文献１】実公昭４８−２９６６８号公報
【特許文献２】実用新案登録２５０５７１６号公報
【考案の開示】
【考案が解決しようとする課題】
【０００４】
実公昭４８−２９６６８号に示す携帯用灰皿は、使用時に鋼製板の耳部を指で押圧することにより相互に外方向に湾曲して開口状態となり、煙草の灰及び吸い殻を入れやすくなる。しかしながら、この携帯灰皿は袋部内の空気を急激に乱すため、袋内に収納されていた灰を開口部から巻き上げて携帯用灰皿自身及び周囲を汚してしまうという問題がある。
【０００５】
一方、実用新案登録２５０５７１６号に示す携帯用灰皿は、実公昭４８−２９６６８５号の問題点を解決しているが、袋体の背面下方部にライターの収納部を設けているので、携帯用灰皿自身が厚くなってしまい、ポケットなどに入難く成ってしまう。また、宣伝用の広告媒体を利用しようとしても、広告媒体の安定が悪く簡単に外れて使い物にならない。
【０００６】
また、携帯用灰皿に直接シルク印刷を施す場合には、印刷コストがかかる割に多色刷りにおいて色むらが生じたり、印刷の細部がぼやけてクリアな細部を再現することが出来なかった。
【０００７】
そこで本考案は上記事情に鑑み、携帯用灰皿が有する袋体の背面の広い面積を広告媒体としての機能として提供すると共に、廉価で色の美しい広告媒体を提供ことを目的とする。
【課題を解決するための手段】
【０００８】
上記目的を達成するために、不燃の基材布を重ね合わせてその三辺を縫製して袋部を形成するとともに他の一辺を入口部として成し、この入口部の背面の基材布を延在して入口部を閉塞しながら前記袋部まで折り返す蓋部を形成した携帯用灰皿において、袋部の背面に透明シートを貼着した。
【０００９】
また、透明シートは広告媒体に会わせ多角形に形成するようにした。
【００１０】
更に透明シートを円形に形成した。
【考案の効果】
【００１１】
以上のような本考案の携帯用灰皿では、広告媒体の基材に紙を用いることが出来、多色刷りや物の再現性及びコストを低下させることが可能となる。
【００１２】
また、媒体の形状を広告の目的に会わせ多様な形にすることが出来、かつ媒体を透明シートに挿入する際に自在な方向から可能となる。
【考案を実施するための最良の形態】
【００１３】
携帯用灰皿１は、袋部３と入口部５と蓋部７及び収納部９とから成る。
【００１４】
袋部３は、例えばポリプロピレンとアルミ箔を圧着させてシート状とした不燃の基材布４を用い、基材布４のアルミ箔側が内側になるように３辺を縫製して袋状に形成して成り、縫製しない残りの１辺が入口部５となっている。灰及び吸い殻を入れる入口部５の縁は、二重に基材布４を折り曲げた後に縫製して肉厚とし入口部の５開閉強度を高めている。肉厚とした入口部５の下方近傍には、どの状態で収納されたとしても入口部５から灰がこぼれ落ちないように折り曲げ部が設けてある。
【００１５】
蓋部７は前記袋部３の背面の不燃布を適宜の長さに延在して成り、折り曲げ部から折られた場合に袋部３も受けた入口部５を背面と密着させる。蓋部７の内面にボタンや密着テープなどの結合片６が設けられている。
【００１６】
携帯用灰皿１として最も面積の大きな箇所である袋体９の背面には、例えば、エチルビニルエーテルから成る矩形の透明なシートが、左右の辺及び下辺の３方向の縁で貼着されて、袋体９の背面全体にポケット状の収納部９を形成している。この収納部９には、宣伝が印刷された広告媒体である紙が、開口している上辺から挿入される。
【００１７】
紙の印刷物を収納部９に挿入して広告媒体として用いる事により、大量に廉価で色彩の美しい状態で、且つ広告媒体が灰皿から外れることなく使用に供することが出来る。
【００１８】
他の実施例として、収納部９への挿入口を左右や下から入れられるようにしてもよいし、矩形でなく三角形や円形にしてもよい。また基材布としてＪＩＳＡ１３２３に合格するカーボンウール素材から成る難燃布を用いてもよい。
【図面の簡単な説明】
【００１９】
【図１】本考案に係る携帯用灰皿を開いた状態の図
【図２】携帯用灰皿を閉じた状態の図
【図３】携帯用灰皿の側面図
【符号の説明】
【００２０】
１    携帯用灰皿
３    袋部
５    入口部
７    蓋部
９    収納部
【図１】
0003101630.tif 000003
【図２】
0003101630.tif 000004
【図３】
0003101630.tif 000005
(57)【要約】【課題】マイヤー毛布としての長所を活かし乍ら、これを羽毛布団に用いても、羽毛布団或いはマイヤー毛布が不測にベッドからズレ落ちてしまうことがなく、優れた保温状態を得ることが出来るようにすること。【解決手段】マイヤー毛布の少なくともパイル面側１Ａが起毛処理及びポリッシュ仕上げされて表側に構成され、反対の裏面側１Ｂに滑り抵抗の大きな布２を逢着してある。【選択図】      図１
0003101628.tif 000002
【実用新案登録請求の範囲】
【請求項１】
羽毛布団用のマイヤー毛布であって、
マイヤー毛布１の少なくともパイル面側１Ａが起毛処理及びポリッシュ仕上げされて表側に構成され、
反対の裏面側１Ｂに滑り抵抗の大きな布２を逢着してある、
羽毛布団用のマイヤー毛布。
【請求項２】
前記滑り抵抗の大きな布２が、ガーゼ、コンパス、シーティング、サイフ、ブロード地の何れか一つである請求項１の羽毛布団用のマイヤー毛布。
【請求項３】
前記滑り抵抗の大きな布２の少なくとも周辺が前記マイヤー毛布１にミシン逢着されている請求項１又は請求項２の羽毛布団用のマイヤー毛布。
【考案の詳細な説明】
【技術分野】
【０００１】  本考案は、マイヤー毛布、特に、羽毛布団と併用するのに好適なマイヤー毛布に関する。
【技術背景】
【０００２】  アクリル繊維等で織られたマイヤー毛布は、柄物、無地に関わらず、表裏共に起毛処理され、ポリッシュ仕上げされていて、その毛羽による柔らかな肌触りと高級感があることで、特に最近人気が出ている。この種の毛布は、通常、毛布を身体側に位置させ、布団をその上に載せる重ね敷きという状態で併用されるものである。そして、その布団として、羽毛布団も用いられる。
【特許文献】特開２００２−１２９４５２及び特開２００２−０６９８０８には、夫々マイヤー毛布の特性を改善する考えが提案されている。
【考案の開示】
【考案が解決しようとする課題】
【０００３】  本考案が解決しようとする課題は、上記マイヤー毛布を布団、特に軽い羽毛布団と併用するときに生じる滑りを解消することにある。
即ち、両面起毛処理及びポリッシュ加工されたマイヤー毛布は、その毛羽の表面が滑り易く、特に、通常毛布の長手方向に方向性を持った滑りを生じる。【０００４】  畳み、或いはベッドにおいて、図４に示すように、このマイヤー毛布１の上に軽い羽毛布団３を掛けると（逆に身体側に羽毛布団を掛けて、その上にマイヤー毛布を掛ける場合もある）、寝返り等で毛布１或いは羽毛布団３が動かされると、マイヤー毛布１の表面の滑り作用によって、両者の間に相対滑りが起きて、羽毛布団３がベッドから落ちてしまうという問題がある（床の間では位置ズレする）。
【課題を解決するための手段】
【０００５】  本考案にかかる羽毛布団用のマイヤー毛布は、上記課題を解決するために、マイヤー毛布１の少なくともパイル面側１Ａが起毛処理及びポリッシュ仕上げされて表側に構成され、反対の裏面側１Ｂに滑り抵抗の大きな布２を逢着してある、という手段を講じたものである。
【考案の効果】
【０００６】  本考案によれば、マイヤー毛布としての長所を活かし乍ら、これを羽毛布団に用いても、両者の間の滑りを未然に回避出来て、寝返りを打っても羽毛布団或いはマイヤー毛布がベッドからズレ落ちてしまうことがなく（床の間では位置ズレして外れることがない）、常に重ね掛け状態を良好に維持出来て、優れた保温状態を得ることが出来る利点がある。
【考案を実施するための最良の形態】
【０００７】  本考案において、前記滑り抵抗の大きな布２がガーゼ地であるのが好ましいが、コンパス、シーティング、サイフ、ブロード、ニット地の何れか一つから選択してもよい。前記ガーゼ地としては、通常の綿織りものでよい。そして、本発明にいう適当な滑り抵抗を出すために、織りは、インチ当たり１９０本以下のものが好ましい。また、前記滑り抵抗の大きな布２として前記他の素材を用いる場合、合繊でも天然繊維或いは混紡でもよい。
【実施例】
【０００８】  以下、本考案にかかる羽毛布団用のマイヤー毛布の好適実施例を、図１乃至図４に基づいて説明する。
ここに用いるマイヤー毛布１は、アクリル繊維を主体としたもので、絵柄がプリントされており、表裏両面、即ち、パイル面側１Ａ及び裏面側共に起毛処理及びポリッシュ仕上げされ、一般に製造されているアクリル繊維主体のマイヤー毛布と同じ構成のものである。【０００９】  そして、毛羽の長く、肌触りの良いパイル面側１Ａとは反対の裏面側１Ｂの全面に滑り抵抗の大きな布２として、ガーゼ地を、その周辺でミシン逢着してある。この際、前記布２は、図１に示す如く、マイヤー毛布１の頭部側端部の折り返し部（首、顔が位置する）には位置しない程度に短く構成されている。また、図４に示す４は、前記布２を、所定の間隔でマイヤー毛布１に係止するための逢着糸であり、所定の間隔で留め付けを行なうことで、周辺のみの逢着に比べて、布２のマイヤー毛布１に対する相対ズレを少なくし、より摩擦抵抗を大きくする。【００１０】  使用に際しては、図２に示す如く、滑り抵抗の大きな布２のガーゼ地が上側に位置された状態で身体側にマイヤー毛布１を掛け、その上に羽毛布団３を掛けて用いる。これによって、図４に示すごとく、滑り抵抗の大きな布２としてのガーゼ地と、羽毛布団３の生地（通常、ブロード）との摩擦抵抗によって、両者の間が非常に滑り難くなり、就寝中の寝返り等で両者の間に滑りを生じて羽毛布団３がベッドからズリ落ちてしまうということがない。【００１１】  また、図３に示す如く、逆に、身体側に羽毛布団３を掛け、その上に、滑り抵抗の大きな布２のガーゼ地が下側に位置された状態でマイヤー毛布１を掛けて用いる場合がある。この場合も、やはりガーゼ地と、羽毛布団３の生地（通常、ブロード）との摩擦抵抗によって、両者の間が非常に滑り難くなり、従って、就寝中の寝返り等で両者の間に滑りを生じてマイヤー毛布１（羽毛布団３の場合もある）がベッドからズリ落ちてしまうということがない。
【産業上の利用可能性】
【００１２】  本考案のマイヤー毛布は、上記の如く羽毛布団に好適であるが、これを単独として用いても、その滑り抵抗の大きな布２をガーゼ地とした場合では、ガーゼ地の心地よい肌触りを、本来の毛羽による肌触りとを選択的に利用でき、通常のマイヤー毛布に新たな使用価値を付与したものとして利用できる。
【図面の簡単な説明】
【００１３】
【図１】実施例のマイヤー毛布の全体の斜視図である。
【図２】実施例のマイヤー毛布の一使用状態を示す側面図である。
【図３】実施例のマイヤー毛布の一使用状態を示す側面図である。
【図４】実施例のマイヤー毛布の一使用状態を示す要部の拡大縦断側面図である。
【図５】従来技術を示すマイヤー毛布の一使用状態を示す要部の拡大縦断側面図である。
【符号の説明】
【００１４】１：マイヤー毛布
１Ａ：パイル面側
１Ｂ：裏面側
２：布
３：羽毛布団
４：逢着糸
【図１】
0003101628.tif 000003
【図２】
0003101628.tif 000004
【図３】
0003101628.tif 000005
【図４】
0003101628.tif 000006
【図５】
0003101628.tif 000007
(57)【要約】［課題］  板状材で構成した筆保持部を、絵画用のキャンバスの木枠部に容易に着脱が可能で、且つ筆立て面は使用し易い様に角度の調整が出来る構造とする。［解決手段］  符号１、２、３から成る筆保持部と符号４のクリップ部は、ボルト５と緩衝材６を介した結合部で一体化構造とした。結合部は、堅結状態ではなく一定の抵抗をもって３６０°回転が可能で、絵筆立て全体はキャンバス７の背面から木枠部８にクリップ部４により容易に着脱が出来、且つ使用しやすい角度に調整できる構造とした。【選択図】  図１
0003101629.tif 000002
【実用新案登録請求の範囲】
【請求項１】
板状体に絵筆の太さに合わせた大きさの穴を複数開け、穴に絵筆を立てた状態で保持することが出来る筆保持部と、絵画用キャンバスの木枠部に背面から着脱するためのクリップ部をボルトにより一体に結合し絵筆立てを構成し、且つ筆保持部とクリップ部は３６０°回転させることが出来る構造。
【考案の詳細な説明】
［技術分野］
【０００１】  本考案品は、絵画を制作する時に使う複数の絵筆を、一時的に保持する筆立てに関するものある。
［背景技術］
【０００２】  絵画を制作する時は複数の絵筆を使用するが、絵の具のついた使い掛けの絵筆は周囲に放置状態であった。このため、筆と筆とが触れて絵の具が混ざったり、周囲の物を絵の具で汚す事が多く煩わしかった。従来は、絵筆を一時的に保持して置く用具や器具等が無く、開発、実用化が必要であった。
［考案の開示］
［考案が解決しようとする課題］
【０００３】  複数の使い掛の絵筆を立てることが出来る筆保持部を、絵画用キャンバスの木枠部の左右どちらにでも容易に着脱出来、且つ筆保持部の角度を調整出来る構造とする。
［課題を解決するための手段］
【０００４】  上記課題の解決の方法として絵筆を保持するため、図１の板状体２を金属板枠１に組み込み、筆の太さにあわせた穴３を複数開けて筆保持部とする。
筆保持部を絵画用キャンバスの木枠部８に着脱するためには、４のクリップ部によるものとし、筆保持部とクリップ部４はボルト５と緩衝材６で一体に結合している。結合部は堅結状態ではないので一定の抵抗をもって３６０°回転が可能な構造となっている。このためキャンバスの木枠部８の左右どちらにも着脱が可能であり、又筆保持部を使用しやすい角度に調整できる。
［考案の効果］
【０００５】  複数の絵筆を使用している時、使い掛けの絵筆を本考案の筆立てに立てておく事により、筆と筆が触れて色がまざったり周囲の物を汚すことがなくて済む。又、絵画用キャンバスの木枠に取り付けられることで、絵筆の保持、再使用が容易に出来て作業性も良い。
［考案を実施するための最良の形態］
【０００６】  板状体に絵筆の太さにあわせた穴を開けて筆保持部とし、クリップにより絵画用キャンバスの木枠部に容易に着脱が出来、且つ、筆保持部は回転が可能でキャンバスの左右どちらに取り付けても、使用しやすい角度に調整出来る構造を最小の部品数で実現した。
［実施例］
【０００７】  図３は本考案品を、絵画用キャンバスの木枠部に背面から取り付けて使用している実施例である。
［産業上の利用可能性］
【０００８】  絵画の制作を趣味としている人は、屋内外を問わず制作時に用具、特に複数の使い掛の絵筆の取扱には煩わしい思いをしていた。本考案品は、屋外の制作時の携帯にも邪魔にならない程度の大きさであり、使い掛けの絵筆を容易に保持、再使用が出来て作業性がよい。
【図面の簡単な説明】
【０００９】
【図１】  絵筆立て全体の平面図及び正面図である。
【図２】  絵筆立て全体の側面図である。
【図３】  絵筆立て全体を絵画用キャンバスの背面から木枠部に取付て、絵筆を立てた時の実用例の図である。
【符号の説明】
【００１０】    １    筆保持部の枠を構成する金属板である。
２    板状体からなる筆保持部である。
３    板状体に開けた絵筆を立てる穴である。
４    絵画用キャンバスの木枠部に着脱するためのクリップ部である。
５    結合部のボルトである。
６    結合部の緩衝材である。
７    背面から見た絵画用キャンバスである。
８    絵画用キャンバスの木枠部である。
９    絵筆である。
【図１】
0003101629.tif 000003
【図２】
0003101629.tif 000004
【図３】
0003101629.tif 000005
(57)【要約】      （修正有）【課題】手袋にジッパー付きポケットを取り付けることにより、小銭や切符のスムーズな取入れ取出しを出来るようにした。【解決手段】手袋の内側又は表の甲の部分にジッパー付きポケットを取り付ける。以上の構成によりなる手袋である。【選択図】図２
0003101624.tif 000002
【実用新案登録請求の範囲】
【請求項１】
ジッパーポケットの付いた手袋。
【考案の詳細な説明】
【技術分野】
【００１】この考案は、ジッパーポケットを内側又は、表の甲の部分に取り付けた手袋に関するものである。
【背景技術】
【００２】従来、手袋にはポケットがなかった。
【考案の開示】
【考案が解決しようとする課題】
【００３】これは、次のような問題点があった。
駅の改札などで小銭を取り出す時又はしまう時、財布をいちいち取らねばならず又、切符をしまう場所に戸惑っていた。本考案は、以上のような欠点をなくすためになされたものである。
【課題を解決するための手段】
【００４】手袋の内側又は表の甲の部分にジッパー付きポケットを取り付ける。
以上の構成によりなる手袋である。
【考案の効果】
【００５】ポケットに事前に小銭を入れておける又、小銭や切符を簡単にしまうことが出きる。
【図面の簡単な説明】
【００６】
【図１】手袋の内側にジッパーポケットを取り付けた平面図である。
【図２】手袋の表の甲の部分にジッパーポケットを取り付けた平面図である。
【符号の説明】
【００７】１．手袋本体
２．ポケット
３．ジッパー
【図１】
0003101624.tif 000003
【図２】
0003101624.tif 000004
(57)【要約】【解決手段】  粘着シート３は、ブラシ１の背面部２よりやや小さい大きさに切断した片面粘着シートを複数枚重ね、粘着面が外面側に露出するようにブラシ１の背面部２に取り付けてある。衣類や敷物等についたペットの毛を、粘着シート３の粘着面に付着させて掃除し、ペットの毛の付着した一番外側の粘着シートを剥がして捨てることにより、新しい粘着シートの粘着面を外面に露出させることができる。【効果】  本考案の粘着シート付きブラシは、このように構成したことにより、これを使用するときは、ブラシ１でペットの毛をブラッシングし、ブラッシングした際に抜け落ちて衣類や敷物等についたペットの毛やゴミ等を、粘着シート３に付着させることにより、すばやく掃除することができる。【選択図】  図１
0003101651.tif 000002
【実用新案登録請求の範囲】
【請求項１】
ブラシ（１）の背面部（２）に、粘着シート（３）を取り付けたことを特徴とする粘着シート付きブラシ。
【請求項２】
前記ブラシ（１）の背面部（２）に、粘着シート（３）を覆うようにカバー（４）を取り外し自在に設けたことを特徴とする、請求項１に記載の粘着シート付きブラシ。
【請求項３】
前記カバー（４）に、写真ポケット（５）を設けたことを特徴とする、請求項２に記載の粘着シート付きブラシ。
【考案の詳細な説明】
【技術分野】
【０００１】  本考案は、ペット用ブラシに関するものである。
【背景技術】
【０００２】  従来、ペットのブラッシングに際して、ペットの毛がブラシよりはみ出し飛び散り、それにつれて、ゴミほこり等も同様に飛び散り、ペットの毛やゴミやほこりが衣類や敷物等に取り付くことが多くあり、ブラッシングの後で電気掃除機などを使って、衣類や敷物等に付着したペットの毛などを掃除しなければならなかった。
【考案の開示】
【考案が解決しようとする課題】
【０００３】  本考案は上述の問題を解消するためになされたもので、ブラッシングをしつつその場で手軽に飛び散ったペットの毛などを衣類や敷物等から取り除くことができるペット用のブラシを提供することを目的とする。
【課題を解決するための手段】
【０００４】  上記課題を解決するために、本考案の請求項１に記載の粘着シート付きブラシは、ブラシ部の背面部に粘着シートを取り付けたものである。
また、請求項２に記載のカバーは、粘着シート付きブラシの背面部に取り付けた粘着シート覆うように、ブラシの背面部に取り外し自在に設けたものである。
また、請求項３のカバーは、写真ポケットを設けたものである。
【考案の効果】
【０００５】  本考案の粘着シート付きブラシによれば、ブラシの背面部に粘着シートを取り付けたことにより、ペットをブラッシングしつつ、衣類や敷物等に飛び散ったペットの毛なとを粘着シートに付着させて取り除くことができる。
また、ブラシの背面部に取り外し自在にカバーを取り付けたので、粘着シートを使用しないときはこれをカバーで覆うことにより、ブラッシングする時に粘着シートにペットの毛が絡みつかない。
また、カバーの外側面にペットの写真などを収納するための写真ポケットを設けたので、可愛いペットの写真などを飾って楽しむことができる。
【考案を実施するための最良の形態】
【０００６】  本考案の実施の形態を代表的な実施例に基づいて図を用いて説明する。図１は、本考案の粘着シート付きブラシの側面図である。図１に示すように、本考案の粘着シート付きブラシは、ブラシ１の背面部２に粘着シート３を取り付けたものである。粘着シート３は、本実施例では紙を使っているが、布やビニールやポリプロピレン等の合成樹脂製のいずれを使用しても良い。粘着シート３は、ブラシの背面部２よりやや小さい大きさに切断した片面粘着シートを複数枚重ね、粘着面が外面側に露出するようにブラシの背面部２に取り付けてある。衣類や敷物等についたペットの毛を、粘着シート３の粘着面に付着させて掃除し、ペットの毛の付着した一番外側の粘着シートを剥がして捨てることにより、新しい粘着シートの粘着面を外面に露出させることができる。
本考案の粘着シート付きブラシは、このように構成したことにより、これを使用するときは、ブラシ１でペットの毛をブラッシングし、ブラッシングした際に抜け落ちて衣類や敷物等についたペットの毛やゴミ等を、粘着シート３に付着させることにより、すばやく掃除することができるものである。【０００７】  図２は、請求項２に記載のカバーを備えた粘着シート付きブラシの側面図である。図２において、ブラシの背面部２に取り付ける前の状態のカバー４を実線で示し、ブラシの背面部２に取り付けた状態のカバー４を一点鎖線で示したように、カバー４はブラシの背面部２に取り外し自在に取り付けるものである。粘着シート３を使用しないときはこれをカバー４で覆うことにより、ブラッシングする時に粘着シートにペットの毛が張り付かないようにするためのものである。【０００８】  図３は、請求項３に記載のカバーに写真ポケットを設けた粘着シート付きブラシの背面図（Ａ）、および側面図（Ｂ）である。カバー３の外側面にペットの写真６などを収納するための写真ポケット５を設けてある。写真ポケット３の表面は透明にしてあり、ペットの写真６を挿入したとき、外から見えるようにしてある。
【図面の簡単な説明】
【０００９】
【図１】粘着シート付きブラシの側面図である。
【図２】カバーを備えた粘着シート付きブラシの側面図である。
【図３】カバーに写真ポケットを備えた粘着シート付きプラシの背面図（Ａ）、および側面図（Ｂ）である。
【符号の説明】
【００１０】１    ブラシ
２    ブラシの背面部
３    粘着シート
４    カバー
５    写真ポケット
６    写真
【図１】
0003101651.tif 000003
【図２】
0003101651.tif 000004
【図３】
0003101651.tif 000005
(57)【要約】      （修正有）【課題】伸縮ゴムを前後に伸ばすことにより、安定した酸素供給が自然に出来るため、理想的な有酸素運動ができる二の腕ダイエット器具を提供する。【解決手段】伸縮ゴム３の両端に金具４を設け、その一方の金具４に帯吊り輪５を装着して、反対側の金具４に帯継手２を装着して帯パット１の両端に固定することを特長とする。【効果】ゴムの伸縮を利用することにより散歩をしながら、テレビを見ながら有酸素運動ができ、いままで大変だった腕立て伏せをしなくても済む。【選択図】図３
0003101674.tif 000002
【実用新案登録請求の範囲】
【請求項１】
伸縮ゴム（３）の両端に金具（４）を取り付け、一方の金具（４）に帯吊り輪（５）を設け、一方の金具に帯継手（２）を設け、帯パット（１）の両端部に先程の帯継手（２）を取り付けた二の腕ダイエット器具。
【考案の詳細な説明】
【考案の詳細な説明】
【考案が解決しようとする課題】
【０００１】  従来、一般的な二の腕ダイエットは腕立て伏せが大半で、力の少ない女性には大変な運動で、有酸素運動も出来ず二の腕のダイエットを断念する女性が多かった。
【課題を解決するための手段】
【０００２】  上記目的を達成するために、帯パットを肩にあてて、両側の伸縮ゴムと帯吊り輪を手前にぶら下げ、帯吊り輪に指を通しゴムの伸縮を利用して前後にふる。
【考案の効果】
【０００３】  ゴムの伸縮を利用することにより散歩をしながら、テレビを見ながら有酸素運動が出来る為、いままで大変だった腕立て伏せをしなくて済む。
【図面の簡単な説明】
【図１】本体の斜視図である。
【図２】本体の分解斜視図である。
【図３】本体の使用状態を示す側面図である。
【図４】本体の平面図である。
【図１】
0003101674.tif 000003
【図２】
0003101674.tif 000004
【図３】
0003101674.tif 000005
【図４】
0003101674.tif 000006
(57)【要約】      （修正有）【課題】携帯電話に照明機能を持たせる。【解決手段】携帯電話１に照明機能を有する証明２を付ける。【選択図】図１
0003101678.tif 000002
【実用新案登録請求の範囲】
【請求項１】
照明機能を持たせた携帯電話。
【考案の詳細な説明】
【０００１】
【考案の効果】
近年、携帯電話の普及は目覚しく、その機能に対する要求も多様化している。一方、近未来的に起こると予想される東海大地震などの災害に対する意識は高く、照明器機を各自が自宅などに常備している。しかし、各個人が照明器機を携帯することは少なく、災害時の即時の対応に有効とは言えない。そこで私は携帯電話に照明機能を持たせることを考案した。これにより、災害のみならず、日常、車の中で物を落とした時など、車中にペンライトを常備する必要もなく、この照明付携帯電話により、車中の天井のライトでは見にくい足元などを照らすことも可能で、日常生活においても便利である。
【図面の簡単な説明】
【図１】携帯電話の斜視図である。（この考案の場合、照明機能が付けられるならば、携帯電話のどの部分でも構わない為、例としてあげるのみである。）
【符号の説明】
１  携帯電話
２  照明
【図１】
0003101678.tif 000003
【手続補正書】
【提出日】平成15年5月2日(2003.5.2)
【手続補正１】
【補正対象書類名】明細書
【補正対象項目名】実用新案登録請求の範囲
【補正方法】変更
【補正の内容】
【実用新案登録請求の範囲】
【請求項１】
・  近年、携帯電話の普及は目覚しく、その機能に対する要求も多様化している。一方、近未来的に起こると予想される東海大地震などの災害に対する意識は高く、照明器機を各自が自宅などに常備している。しかし、各個人が照明器機を携帯することは少なく、災害時の即時の対応に有効とは言えない。そこで私は照明部を有する携帯電話を考案した。これにより、災害のみならず、日常、車の中で物を落とした時など、車中にペンライトを常備する必要もなく、この照明付携帯電話により、車中の天井のライトでは見にくい足元などを照らすことも可能で、日常生活においても便利である。
【手続補正書】
【提出日】平成15年10月3日(2003.10.3)
【手続補正１】
【補正対象書類名】明細書
【補正対象項目名】実用新案登録請求の範囲
【補正方法】変更
【補正の内容】
【実用新案登録請求の範囲】
【請求項１】
照明部を有する携帯電話
【手続補正２】
【補正対象書類名】明細書
【補正対象項目名】０００１
【補正方法】変更
【補正の内容】
【０００１】
【考案の効果】
近年、携帯電話の普及は目覚しく、その機能に対する要求も多様化している。一方、近未来的に起こると予想される東海大地震などの災害に対する意識は高く、照明器機を各自が自宅などに常備している。しかし、各個人が照明器機を携帯することは少なく、災害時の即時の対応に有効とは言えない。そこで私は照明部を有する携帯電話を考案した。これにより、災害のみならず、日常、車の中で物を落とした時など、車中にペンライトを常備する必要もなく、この照明部を有する携帯電話により、車中の天井のライトでは見にくい足元などを照らすことも可能で、日常生活においても便利である。